【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
広告情報を配信する広告情報サーバとネットワークを介して接続可能な端末装置であって、
前記広告情報サーバからＰＵＳＨ配信された広告情報であるＰＵＳＨ配信広告情報を受信し、前記ネットワークへの接続要求を行ってから前記接続が完了するまでの間及び前記ネットワークへ接続中の少なくともいずれか一方に、前記ＰＵＳＨ配信広告情報を出力することを特徴とする端末装置。
【請求項２】
広告情報を配信する広告情報サーバおよびコンテンツを配信する配信サーバとネットワークを介して接続可能な端末装置であって、
前記配信サーバから配信されるコンテンツを受信し始めた後にバッファリングを行い、前記バッファリングが行われている間及び前記コンテンツの受信中の少なくともいずれか一方に、前記広告情報を前記広告情報サーバから受信し、出力することを特徴とする端末装置。
【請求項３】
広告情報を配信する広告情報サーバおよび他の端末装置とネットワークを介して接続可能な端末装置であって、
前記他の端末装置と通信を行う場合、自装置が前記ネットワークに接続してから前記他の端末装置が前記ネットワークに接続するまでの間及び前記ネットワークへ接続中の少なくともいずれか一方に、前記広告情報を前記広告情報サーバから受信し、出力することを特徴とする端末装置。
【請求項４】
前記広告情報サーバからテキスト／静止画データ形式の広告情報を受信し、出力することを特徴とする請求項２または３記載の端末装置。
【請求項５】
広告情報を配信する広告情報サーバおよびコンテンツを配信する配信サーバとネットワークを介して接続可能な端末装置であって、
前記広告情報サーバからＰＵＳＨ配信された広告情報であるＰＵＳＨ配信広告情報を受信し、前記配信サーバから配信されるコンテンツを受信し始めた後にバッファリングを行い、前記バッファリングが行われている間及び前記コンテンツの受信中の少なくともいずれか一方に、前記広告情報サーバに蓄積された広告情報と前記ＰＵＳＨ配信広告情報との差分情報を前記広告情報サーバから受信し、前記ＰＵＳＨ配信広告情報と前記差分情報とから前記広告情報を作成し、出力することを特徴とする端末装置。
【請求項６】
広告情報を配信する広告情報サーバおよび他の端末装置とネットワークを介して接続可能な端末装置であって、
前記広告情報サーバからＰＵＳＨ配信された広告情報であるＰＵＳＨ配信広告情報を受信し、前記他の端末装置と通信を行う場合、自装置が前記ネットワークに接続してから前記他の端末装置が前記ネットワークに接続するまでの間及び前記ネットワークへ接続中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記広告情報を作成し、出力することを特徴とする端末装置。
【請求項７】
ネットワークを介して１つ以上の端末装置と接続されている広告情報サーバであって、
前記１つ以上の端末装置にブロード／マルチキャスト方式で広告情報をＰＵＳＨ配信することを特徴とする広告情報サーバ。
【請求項８】
ネットワークを介して１つ以上の端末装置と接続されている広告情報サーバであって、
前記広告情報サーバに蓄積された広告情報と事前に前記端末装置にＰＵＳＨ配信した広告情報との差分情報を、前記端末装置に送信することを特徴とする広告情報サーバ。
【請求項９】
事前に前記端末装置から受信した前記端末装置のユーザの嗜好性、前記端末装置により受信されたコンテンツの内容、前記配信した広告情報の内容、および前記端末装置の位置に係る情報のうちの少なくとも１つに基づいた内容の広告情報を前記端末装置に配信することを特徴とする請求項７または８記載の広告情報サーバ。
【請求項１０】
広告情報を配信する広告情報サーバと、該広告情報サーバとネットワークを介して接続可能な端末装置と、を有する情報提供システムを用いる情報提供方法であって、
前記広告情報サーバは、
前記広告情報をＰＵＳＨ配信し、
前記端末装置は、
前記ＰＵＳＨ配信された広告情報であるＰＵＳＨ配信広告情報を受信し、前記ネットワークへの接続要求を行ってから前記接続が完了するまでの間及び前記ネットワークへ接続中の少なくともいずれか一方に、前記ＰＵＳＨ配信広告情報を出力することを特徴とする情報提供方法。
【請求項１１】
広告情報を配信する広告情報サーバと、他の端末装置と、前記広告情報サーバおよび前記他の端末装置とネットワークを介して接続可能な端末装置と、を有する情報提供システムを用いる情報提供方法であって、
前記端末装置は、
前記端末装置と前記他の端末装置との間で通信が行われる場合、自装置が前記ネットワークに接続してから前記他の端末装置が前記ネットワークに接続するまでの間及び前記ネットワークへ接続中の少なくともいずれか一方に、前記広告情報を前記広告情報サーバから受信し、出力することを特徴とする情報提供方法。
【請求項１２】
広告情報を配信する広告情報サーバと、他の端末装置と、前記広告情報サーバおよび前記他の端末装置とネットワークを介して接続可能な端末装置と、を有する情報提供システムを用いる情報提供方法であって、
前記広告情報サーバは、
前記広告情報をＰＵＳＨ配信し、
前記端末装置は、
前記広告情報サーバからＰＵＳＨ配信された広告情報であるＰＵＳＨ配信広告情報を受信し、前記他の端末装置と通信を行う場合、自装置が前記ネットワークに接続してから前記他の端末装置が前記ネットワークに接続するまでの間及び前記ネットワークへ接続中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記配信要求広告情報を作成し、出力することを特徴とする情報提供方法。
【請求項１３】
前記情報提供システムは、課金装置をさらに有し、
前記課金装置は、
前記端末装置に係る前記ネットワークの利用料金の課金を行い、前記広告情報の広告主により支払われた広告料金を用いて、前記ネットワークの利用料金の割り引きを行うことを特徴とする請求項１０から１２のいずれか１項に記載の情報提供方法。
【請求項１４】
広告情報を配信する広告情報サーバと、コンテンツを配信する配信サーバと、前記広告情報サーバおよび前記配信サーバとネットワークを介して接続可能な端末装置と、を有する情報提供システムを用いる情報提供方法であって、
前記配信サーバは、
前記端末装置の要求に応じて前記コンテンツを前記端末装置に配信し、
前記端末装置は、
前記配信サーバから配信されるコンテンツを受信し始めた後にバッファリングを行い、前記バッファリングが行われている間及び前記コンテンツの受信中の少なくともいずれか一方に、前記広告情報を前記広告情報サーバから受信し、出力することを特徴とする情報提供方法。
【請求項１５】
広告情報を配信する広告情報サーバと、コンテンツを配信する配信サーバと、前記広告情報サーバおよび前記配信サーバとネットワークを介して接続可能な端末装置と、を有する情報提供システムを用いる情報提供方法であって、
前記広告情報サーバは、
前記広告情報をＰＵＳＨ配信し、
前記配信サーバは、
前記端末装置の要求に応じて前記コンテンツを前記端末装置に配信し、
前記端末装置は、
前記広告情報サーバからＰＵＳＨ配信された広告情報であるＰＵＳＨ配信広告情報を受信し、前記配信サーバから配信されるコンテンツを受信し始めた後にバッファリングを行い、前記バッファリングが行われている間及び前記コンテンツの受信中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記配信要求広告情報を作成し、出力することを特徴とする情報提供方法。
【請求項１６】
前記情報提供システムは、課金装置をさらに有し、
前記課金装置は、
前記端末装置に係る前記ネットワークの利用料金および前記コンテンツ料金の課金を行い、前記広告情報の広告主により支払われた広告料金を用いて、前記ネットワークの利用料金および前記コンテンツ料金のうちの少なくとも一方の割り引きを行うことを特徴とする請求項１４または１５記載の情報提供方法。
【請求項１７】
広告情報を配信する広告情報サーバと、該広告情報サーバとネットワークを介して接続可能な端末装置と、を有する情報提供システムに処理を実行させるためのコンピュータ読み取り可能なプログラムであって、
前記広告情報サーバに、
前記広告情報をＰＵＳＨ配信する処理を実行させ、
前記端末装置に、
前記ＰＵＳＨ配信された広告情報であるＰＵＳＨ配信広告情報を受信し、前記ネットワークへの接続要求を行ってから前記接続が完了するまでの間及び前記ネットワークへ接続中の少なくともいずれか一方に、前記ＰＵＳＨ配信広告情報を出力する処理を実行させるためのコンピュータ読み取り可能なプログラム。
【請求項１８】
広告情報を配信する広告情報サーバと、他の端末装置と、前記広告情報サーバおよび前記他の端末装置とネットワークを介して接続可能な端末装置と、を有する情報提供システムに処理を実行させるためのコンピュータ読み取り可能なプログラムであって、
前記端末装置に、
前記端末装置と前記他の端末装置との間で通信が行われる場合、前記端末装置が前記ネットワークに接続してから前記他の端末装置が前記ネットワークに接続するまでの間及び前記ネットワークへ接続中の少なくともいずれか一方に、前記広告情報を前記広告情報サーバから受信し、出力する処理を実行させるためのコンピュータ読み取り可能なプログラム。
【請求項１９】
広告情報を配信する広告情報サーバと、他の端末装置と、前記広告情報サーバおよび前記他の端末装置とネットワークを介して接続可能な端末装置と、を有する情報提供システムに処理を実行させるためのコンピュータ読み取り可能なプログラムであって、
前記広告情報サーバに、
前記広告情報をＰＵＳＨ配信する処理を実行させ、
前記端末装置に、
前記広告情報サーバからＰＵＳＨ配信された広告情報であるＰＵＳＨ配信広告情報を受信し、前記他の端末装置と通信を行う場合、前記端末装置が前記ネットワークに接続してから前記他の端末装置が前記ネットワークに接続するまでの間及び前記ネットワークへ接続中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記広告情報を作成し、出力する処理を実行させるためのコンピュータ読み取り可能なプログラム。
【請求項２０】
前記情報提供システムは、課金装置をさらに有するとして、
前記課金装置に、
前記端末装置に係る前記ネットワークの利用料金の課金を行い、前記広告情報の広告主により支払われた広告料金を用いて、前記ネットワークの利用料金の割り引きを行う処理を実行させるための請求項１７から１９のいずれか１項に記載のコンピュータ読み取り可能なプログラム。
【請求項２１】
広告情報を配信する広告情報サーバと、コンテンツを配信する配信サーバと、前記広告情報サーバおよび前記配信サーバとネットワークを介して接続可能な端末装置と、を有する情報提供システムに処理を実行させるためのコンピュータ読み取り可能なプログラムであって、
前記配信サーバに、
前記端末装置の要求に応じて前記コンテンツを前記端末装置に配信する処理を実行させ、
前記端末装置に、
前記配信サーバから配信されるコンテンツを受信し始めた後にバッファリングを行い、前記バッファリングが行われている間及び前記コンテンツの受信中の少なくともいずれか一方に、前記広告情報を前記広告情報サーバから受信し、出力する処理を実行させるためのコンピュータ読み取り可能なプログラム。
【請求項２２】
広告情報を配信する広告情報サーバと、コンテンツを配信する配信サーバと、前記広告情報サーバおよび前記配信サーバとネットワークを介して接続可能な端末装置と、を有する情報提供システムに処理を実行させるためのコンピュータ読み取り可能なプログラムであって、
前記広告情報サーバに、
前記広告情報をＰＵＳＨ配信する処理を実行させ、
前記配信サーバに、
前記端末装置の要求に応じて前記コンテンツを前記端末装置に配信する処理を実行させ、
前記端末装置に、
前記広告情報サーバからＰＵＳＨ配信された広告情報であるＰＵＳＨ配信広告情報を受信し、前記配信サーバから配信されるコンテンツを受信し始めた後にバッファリングを行い、前記バッファリングが行われている間及び前記コンテンツの受信中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記広告情報を作成し、出力する処理を実行させるためのコンピュータ読み取り可能なプログラム。
【請求項２３】
前記情報提供システムは、課金装置をさらに有するとして、
前記課金装置に、
前記端末装置に係る前記ネットワークの利用料金および前記コンテンツ料金の課金を行い、前記広告情報の広告主により支払われた広告料金を用いて、前記ネットワークの利用料金および前記コンテンツ料金のうちの一方の割り引きを行う処理を実行させるための請求項２１または２２記載のコンピュータ読み取り可能なプログラム。
【請求項２４】
前記広告情報サーバが前記コンテンツを配信する配信サーバよりもネットワークの観点から前記端末装置に近い位置に設置されていることを特徴とする請求項１４又は１５記載に情報提供方法。
【手続補正２】
【補正対象書類名】明細書
【補正対象項目名】００１５
【補正方法】変更
【補正の内容】
【００１５】
【課題を解決するための手段】
かかる目的を達成するために、請求項１記載の発明は、広告情報を配信する広告情報サーバとネットワークを介して接続可能な端末装置であって、前記広告情報サーバからＰＵＳＨ配信された広告情報であるＰＵＳＨ配信広告情報を受信し、前記ネットワークへの接続要求を行ってから前記接続が完了するまでの間及び前記ネットワークへ接続中の少なくともいずれか一方に、前記ＰＵＳＨ配信広告情報を出力することを特徴とする。
【手続補正３】
【補正対象書類名】明細書
【補正対象項目名】００１６
【補正方法】変更
【補正の内容】
【００１６】
また、請求項２記載の発明は、広告情報を配信する広告情報サーバおよびコンテンツを配信する配信サーバとネットワークを介して接続可能な端末装置であって、前記配信サーバから配信されるコンテンツを受信し始めた後にバッファリングを行い、前記バッファリングが行われている間及び前記コンテンツの受信中の少なくともいずれか一方に、前記広告情報を前記広告情報サーバから受信し、出力することを特徴とする。
【手続補正４】
【補正対象書類名】明細書
【補正対象項目名】００１７
【補正方法】変更
【補正の内容】
【００１７】
また、請求項３記載の発明は、広告情報を配信する広告情報サーバおよび他の端末装置とネットワークを介して接続可能な端末装置であって、前記他の端末装置と通信を行う場合、自装置が前記ネットワークに接続してから前記他の端末装置が前記ネットワークに接続するまでの間及び前記ネットワークへ接続中の少なくともいずれか一方に、前記広告情報を前記広告情報サーバから受信し、出力することを特徴とする。
【手続補正５】
【補正対象書類名】明細書
【補正対象項目名】００１９
【補正方法】変更
【補正の内容】
【００１９】
請求項５記載の発明は、広告情報を配信する広告情報サーバおよびコンテンツを配信する配信サーバとネットワークを介して接続可能な端末装置であって、前記広告情報サーバからＰＵＳＨ配信された広告情報であるＰＵＳＨ配信広告情報を受信し、前記配信サーバから配信されるコンテンツを受信し始めた後にバッファリングを行い、前記バッファリングが行われている間及び前記コンテンツの受信中の少なくともいずれか一方に、前記広告情報サーバに蓄積された広告情報と前記ＰＵＳＨ配信広告情報との差分情報を前記広告情報サーバから受信し、前記ＰＵＳＨ配信広告情報と前記差分情報とから前記広告情報を作成し、出力することを特徴とする。
【手続補正６】
【補正対象書類名】明細書
【補正対象項目名】００２０
【補正方法】変更
【補正の内容】
【００２０】
請求項６記載の発明は、広告情報を配信する広告情報サーバおよび他の端末装置とネットワークを介して接続可能な端末装置であって、前記広告情報サーバからＰＵＳＨ配信された広告情報であるＰＵＳＨ配信広告情報を受信し、前記他の端末装置と通信を行う場合、自装置が前記ネットワークに接続してから前記他の端末装置が前記ネットワークに接続するまでの間及び前記ネットワークへ接続中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記広告情報を作成し、出力することを特徴とする。
【手続補正７】
【補正対象書類名】明細書
【補正対象項目名】００２１
【補正方法】変更
【補正の内容】
【００２１】
請求項７記載の発明は、ネットワークを介して１つ以上の端末装置と接続されている広告情報サーバであって、前記１つ以上の端末装置にブロード／マルチキャスト方式で広告情報をＰＵＳＨ配信することを特徴とする。
【手続補正８】
【補正対象書類名】明細書
【補正対象項目名】００２２
【補正方法】変更
【補正の内容】
【００２２】
請求項８記載の発明は、ネットワークを介して１つ以上の端末装置と接続されている広告情報サーバであって、前記広告情報サーバに蓄積された広告情報と事前に前記端末装置にＰＵＳＨ配信した広告情報との差分情報を、前記端末装置に送信することを特徴とする。
【手続補正９】
【補正対象書類名】明細書
【補正対象項目名】００２４
【補正方法】変更
【補正の内容】
【００２４】
請求項１０記載の発明は、広告情報を配信する広告情報サーバと、該広告情報サーバとネットワークを介して接続可能な端末装置と、を有する情報提供システムを用いる情報提供方法であって、前記広告情報サーバは、前記広告情報をＰＵＳＨ配信し、前記端末装置は、前記ＰＵＳＨ配信された広告情報であるＰＵＳＨ配信広告情報を受信し、前記ネットワークへの接続要求を行ってから前記接続が完了するまでの間及び前記ネットワークへ接続中の少なくともいずれか一方に、前記ＰＵＳＨ配信広告情報を出力することを特徴とする。
【手続補正１０】
【補正対象書類名】明細書
【補正対象項目名】００２５
【補正方法】変更
【補正の内容】
【００２５】
請求項１１記載の発明は、広告情報を配信する広告情報サーバと、他の端末装置と、前記広告情報サーバおよび前記他の端末装置とネットワークを介して接続可能な端末装置と、を有する情報提供システムを用いる情報提供方法であって、前記端末装置は、前記端末装置と前記他の端末装置との間で通信が行われる場合、自装置が前記ネットワークに接続してから前記他の端末装置が前記ネットワークに接続するまでの間及び前記ネットワークへ接続中の少なくともいずれか一方に、前記広告情報を前記広告情報サーバから受信し、出力することを特徴とする。
【手続補正１１】
【補正対象書類名】明細書
【補正対象項目名】００２６
【補正方法】変更
【補正の内容】
【００２６】
請求項１２記載の発明は、広告情報を配信する広告情報サーバと、他の端末装置と、前記広告情報サーバおよび前記他の端末装置とネットワークを介して接続可能な端末装置と、を有する情報提供システムを用いる情報提供方法であって、前記広告情報サーバは、前記広告情報をＰＵＳＨ配信し、前記端末装置は、前記広告情報サーバからＰＵＳＨ配信された広告情報であるＰＵＳＨ配信広告情報を受信し、前記他の端末装置と通信を行う場合、自装置が前記ネットワークに接続してから前記他の端末装置が前記ネットワークに接続するまでの間及び前記ネットワークへ接続中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記配信要求広告情報を作成し、出力することを特徴とする。
【手続補正１２】
【補正対象書類名】明細書
【補正対象項目名】００２８
【補正方法】変更
【補正の内容】
【００２８】
請求項１４記載の発明は、広告情報を配信する広告情報サーバと、コンテンツを配信する配信サーバと、前記広告情報サーバおよび前記配信サーバとネットワークを介して接続可能な端末装置と、を有する情報提供システムを用いる情報提供方法であって、前記配信サーバは、前記端末装置の要求に応じて前記コンテンツを前記端末装置に配信し、前記端末装置は、前記配信サーバから配信されるコンテンツを受信し始めた後にバッファリングを行い、前記バッファリングが行われている間及び前記コンテンツの受信中の少なくともいずれか一方に、前記広告情報を前記広告情報サーバから受信し、出力することを特徴とする。
【手続補正１３】
【補正対象書類名】明細書
【補正対象項目名】００２９
【補正方法】変更
【補正の内容】
【００２９】
請求項１５記載の発明は、広告情報を配信する広告情報サーバと、コンテンツを配信する配信サーバと、前記広告情報サーバおよび前記配信サーバとネットワークを介して接続可能な端末装置と、を有する情報提供システムを用いる情報提供方法であって、前記広告情報サーバは、前記広告情報をＰＵＳＨ配信し、前記配信サーバは、前記端末装置の要求に応じて前記コンテンツを前記端末装置に配信し、前記端末装置は、前記広告情報サーバからＰＵＳＨ配信された広告情報であるＰＵＳＨ配信広告情報を受信し、前記配信サーバから配信されるコンテンツを受信し始めた後にバッファリングを行い、前記バッファリングが行われている間及び前記コンテンツの受信中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記配信要求広告情報を作成し、出力することを特徴とする。
【手続補正１４】
【補正対象書類名】明細書
【補正対象項目名】００３１
【補正方法】変更
【補正の内容】
【００３１】
請求項１７記載の発明は、広告情報を配信する広告情報サーバと、該広告情報サーバとネットワークを介して接続可能な端末装置と、を有する情報提供システムに処理を実行させるためのコンピュータ読み取り可能なプログラムであって、前記広告情報サーバに、前記広告情報をＰＵＳＨ配信する処理を実行させ、前記端末装置に、前記ＰＵＳＨ配信された広告情報であるＰＵＳＨ配信広告情報を受信し、前記ネットワークへの接続要求を行ってから前記接続が完了するまでの間及び前記ネットワークへ接続中の少なくともいずれか一方に、前記ＰＵＳＨ配信広告情報を出力する処理を実行させることを特徴とする。
【手続補正１５】
【補正対象書類名】明細書
【補正対象項目名】００３２
【補正方法】変更
【補正の内容】
【００３２】
請求項１８記載の発明は、広告情報を配信する広告情報サーバと、他の端末装置と、前記広告情報サーバおよび前記他の端末装置とネットワークを介して接続可能な端末装置と、を有する情報提供システムに処理を実行させるためのコンピュータ読み取り可能なプログラムであって、前記端末装置に、前記端末装置と前記他の端末装置との間で通信が行われる場合、前記端末装置が前記ネットワークに接続してから前記他の端末装置が前記ネットワークに接続するまでの間及び前記ネットワークへ接続中の少なくともいずれか一方に、前記広告情報を前記広告情報サーバから受信し、出力する処理を実行させることを特徴とする。
【手続補正１６】
【補正対象書類名】明細書
【補正対象項目名】００３３
【補正方法】変更
【補正の内容】
【００３３】
請求項１９記載の発明は、広告情報を配信する広告情報サーバと、他の端末装置と、前記広告情報サーバおよび前記他の端末装置とネットワークを介して接続可能な端末装置と、を有する情報提供システムに処理を実行させるためのコンピュータ読み取り可能なプログラムであって、前記広告情報サーバに、前記広告情報をＰＵＳＨ配信する処理を実行させ、前記端末装置に、前記広告情報サーバからＰＵＳＨ配信された広告情報であるＰＵＳＨ配信広告情報を受信し、前記他の端末装置と通信を行う場合、前記端末装置が前記ネットワークに接続してから前記他の端末装置が前記ネットワークに接続するまでの間及び前記ネットワークへ接続中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記広告情報を作成し、出力する処理を実行させることを特徴とする。
【手続補正１７】
【補正対象書類名】明細書
【補正対象項目名】００３４
【補正方法】変更
【補正の内容】
【００３４】
また、請求項２０記載の発明によれば、請求項１７から１９のいずれか１項記載のコンピュータ読み取り可能なプログラムにおいて、情報提供システムは、課金装置をさらに有するとして、課金装置に、端末装置に係るネットワークの利用料金の課金を行い、広告情報の広告主より支払われた広告料金を用いて、ネットワークの利用料金の割り引きを行う処理を実行させることを特徴とする。
【手続補正１８】
【補正対象書類名】明細書
【補正対象項目名】００３５
【補正方法】変更
【補正の内容】
【００３５】
請求項２１記載の発明は、広告情報を配信する広告情報サーバと、コンテンツを配信する配信サーバと、前記広告情報サーバおよび前記配信サーバとネットワークを介して接続可能な端末装置と、を有する情報提供システムに処理を実行させるためのコンピュータ読み取り可能なプログラムであって、前記配信サーバに、前記端末装置の要求に応じて前記コンテンツを前記端末装置に配信する処理を実行させ、前記端末装置に、前記配信サーバから配信されるコンテンツを受信し始めた後にバッファリングを行い、前記バッファリングが行われている間及び前記コンテンツの受信中の少なくともいずれか一方に、前記広告情報を前記広告情報サーバから受信し、出力する処理を実行させることを特徴とする。
【手続補正１９】
【補正対象書類名】明細書
【補正対象項目名】００３６
【補正方法】変更
【補正の内容】
【００３６】
請求項２２記載の発明は、広告情報を配信する広告情報サーバと、コンテンツを配信する配信サーバと、前記広告情報サーバおよび前記配信サーバとネットワークを介して接続可能な端末装置と、を有する情報提供システムに処理を実行させるためのコンピュータ読み取り可能なプログラムであって、前記広告情報サーバに、前記広告情報をＰＵＳＨ配信する処理を実行させ、前記配信サーバに、前記端末装置の要求に応じて前記コンテンツを前記端末装置に配信する処理を実行させ、前記端末装置に、前記広告情報サーバからＰＵＳＨ配信された広告情報であるＰＵＳＨ配信広告情報を受信し、前記配信サーバから配信されるコンテンツを受信し始めた後にバッファリングを行い、前記バッファリングが行われている間及び前記コンテンツの受信中の少なくともいずれか一方に、前記広告情報サーバに蓄積された前記広告情報と前記ＰＵＳＨ配信広告情報との差分情報を前記広告情報サーバから受信し、前記ＰＵＳＨ配信広告情報と前記差分情報とから前記広告情報を作成し、出力する処理を実行させることを特徴とする。
【手続補正２０】
【補正対象書類名】明細書
【補正対象項目名】００３７
【補正方法】変更
【補正の内容】
【００３７】
また、請求項２３記載の発明によれば、請求項２１または２２記載のコンピュータ読み取り可能なプログラムにおいて、情報提供システムは、課金装置をさらに有するとして、課金装置に、端末装置に係るネットワークの利用料金およびコンテンツ料金の課金を行い、広告情報の広告主により支払われた広告料金を用いて、ネットワークの利用料金およびコンテンツ料金のうち一方の割り引きを行う処理を実行させることを特徴とする。
請求項２４記載の発明は、請求項１４又は１５記載の情報提供方法において、前記広告情報サーバが前記コンテンツを配信する配信サーバよりもネットワークの観点から前記端末装置に近い位置に設置されていることを特徴とする。